(57)【要約】      （修正有）【課題】エアコン等のような空気調和機のルーピング形態の配管において、配管の形状を変化させるが同一平面上にルーピング部が形成されることを回避することによって、全体配管における上下方向（Ｚ方向）の配管強度を増強させてエアコン配管における過多な振動を画期的に低減させる。【解決手段】エアコンのルーピング形態の配管において配管の形状を変化させて振動を最小化できるようにするエアコン配管構造を改善する。エアコン配管装置は、同一平面上に構成された第１方向配管部の一端を所定の角度に傾斜するように方向を変更して第３平面上に移動させた振動低減部を形成して、前記第１方向配管部と他の平面上に構成された第２方向配管部と連結する。また、上下方向に巻かれた垂直配管部と、前記垂直配管部の一端の方向を傾斜するように変更して水平方向の配管と連結する。【選択図】図４
2005121347.tif 000002
【特許請求の範囲】
【請求項１】
エアコン配管をルーピング処理した装置において、
同一な平面上に構成された第１方向配管部の一端を一定の角度に傾斜するように方向を変更して第３平面上に移動させて、前記第１方向配管部と他の平面上に構成された第２方向配管部と連結することを特徴とするエアコン配管装置。
【請求項２】
上下方向に巻かれた垂直配管部と；
前記垂直配管部の一端の方向を傾斜するように変更して水平方向の配管と連結することを特徴とするエアコン配管装置。
【請求項３】
前記第１方向配管部である垂直配管部と、第２方向配管部である水平配管部と、傾斜するように結合する振動低減配管部とをさらに備えることを特徴とする請求項１に記載のエアコン配管装置。
【請求項４】
垂直配管部は、上／下方向に１回以上巻かれる形態を取り、前記垂直配管部の任意の地点で傾斜するように連結する振動低減配管部を結合させて、前記振動低減配管部の他端と水平に結合してルーピング部が構成されるようにすることを特徴とする請求項３に記載のエアコン配管装置。
【請求項５】
前記振動低減配管部の望ましい傾斜角は、２０度〜６０度の範囲であることを特徴とする請求項３に記載のエアコン配管装置。
【請求項６】
前記振動低減配管部の傾斜角の角度により垂直方向の振動力が力のベクター分解によって分けられることを特徴とする請求項５に記載のエアコン配管装置。
【請求項７】
前記振動低減配管部の最高点と最低点間の高さ差は、５０ｍｍ以上であることを特徴とする請求項５に記載のエアコン配管装置。
【請求項８】
前記振動低減配管部の傾斜角の角度によって前記振動低減配管部の長さ及び水平配管部の長さが変わることを特徴とする請求項５に記載のエアコン配管装置。
【発明の詳細な説明】
【技術分野】
【０００１】
本発明はエアコンのルーピング形態の配管において配管の形状を変化させて振動を最小化できるようにするエアコン配管構造の改善に関する。
【背景技術】
【０００２】
以下に従来技術に関して説明する。
【０００３】
一般的に圧縮機は、所定の媒質を圧縮させる機械であって多様な分野で用いられているが、これらの圧縮機においてエアコンに用いられる圧縮機は、圧縮、凝縮、膨脹、及び蒸発の過程を経る冷凍工程のうちから圧縮工程に用いられている。
【０００４】
図１は、従来の空気調和機を概略的に示す図面である。
【０００５】
図１を参照すれば、従来の空気調和機は、室外に配置されて外部空気と熱交換を行う室外機１０と、室内に配置されて空気を調和させる室内機２０と、前記室外機と室内機を連結させる連結配管３０で構成されている。
【０００６】
さらに詳細に説明すれば、前記室外機１０は、外部空気と熱交換を行って前記室内機２０から流入した低温低圧の気体冷媒を低温低圧の液体冷媒に変換させる手段であって、圧縮機１１、凝縮機１２及び膨脹バルブ１３で構成されている。
【０００７】
また、前記圧縮機１１は、前記室内機２０から流入した低温低圧の気体冷媒が高温高圧の気体冷媒に変換される部材であって、前記凝縮機１２は前記高温高圧の気体冷媒が中温高圧の液体冷媒に変換される部材であって、前記膨脹バルブ１３は前記中温高圧の液体冷媒が低温低圧の液体冷媒に変換される部材である。
【０００８】
ここで前記凝縮機１２は、外部との熱交換が直接起こる部材であって、外部空気の流入のために別途のファン１２ａが備わっている。一方、前記室内機２０では前記室外機１０から流入した低温低圧の液体冷媒が低温低圧の気体冷媒に変換されるが、この時の蒸発を利用して室内の温度を低くめるようになる。
【０００９】
前記室内機２０は、低温低圧の液体冷媒が低温低圧の気体冷媒に変換される蒸発器２１と、ファン２１ａで構成されている。前記連結配管３０は前記室外機１０と室内機２０を連結させて冷媒を流動させる部材であって、前記室外機１０と室内機２０の距離によって適正に配置されるようになる。
【００１０】
ところが、前記室外機１０内に位置する圧縮機１１では圧縮作用をする過程で多くの振動を発生するようになるが、この振動は前記圧縮機１１に連結している吸入及び吐出配管に沿って他部材に伝えられる。
【００１１】
そして、このような前記の圧縮機１１から発生した振動の伝達は、結局エアコン全体の振動を誘発させることによって過多な騷音が発生するようになってユーザーに不快感を与えるだけでなく、長期間の振動が累積されることによって疲労による部品の毀損をもたらす等の深刻な問題点を引き起こすようになるのでこれに対する解決策が必要であるので、従来においては前記吸入または前記吐出配管の所定の位置でルーピングを与えてその配管の長さを長くし、または集中質量素子を前記配管に装着／適用させる等の方法が考案された。
【００１２】
従来技術による圧縮機周辺の配管構造を図２に基づいて説明すれば、圧縮機に連結した配管１５２、１５３をルーピング処理した後別途の集中質量素子１４０を適用する。
【００１３】
ここで、前記のような配管構造の従来の空気調和機は、室内機（図示せず）から流入する低温低圧の気体冷媒は、サービスバルブ１１０に連結している外部配管を通じて室外機に流入するようになるが、このように流入した低温低圧の気体はアキュムレーター１３０を経て液体成分が除去された後圧縮機１５０で圧縮されて高温高圧の気体冷媒に変えられた後凝縮機に流入する。
【００１４】
この時、前記圧縮機１５０では圧縮工程を遂行する過程で圧縮機１５０の作動にしたがって甚だしい振動が発生するようになるが、このような振動は前記圧縮機１５０に連結している吸入及び吐出配管１５２、１５３を通じて空気調和システムの他の部位に振動が伝えられて悪い影響をおよぼすようになるのでこれを制御する必要がある。
【００１５】
このような前記振動の伝達を抑制するために配管を長くしようとする時には、これはルーピング処理して長さを確保することによって解決したり、或いはゴム等のような弾性体材質の集中質量素子１４０を前記ルーピング処理された配管の一定位置に設置することによって解決するが、一般的に前記集中質量素子１４０は前記圧縮機１５０の吸入及び吐出配管１５２、１５３のルーピング下段地点に配置させる。
【００１６】
また、前記圧縮機１５０とアキュムレーター１３０に入／出される配管はすべてリバーシングコイル１２０を経るようにすることによって振動を抑制している。
【００１７】
ここで前記リバーシングコイル１２０は、前記の吸入及び吐出配管を干渉しないようにするためにシステムの裏側上部空間に配置させることが望ましくて、前記リバーシングコイル１２０の入口及び出口の方向は下へ向かうようにする。
【００１８】
ここで、前記吸入配管１５２のルーピングは、前記アキュムレーター１３０から始まって逆Ｕ字状に曲げ加工した後前記リバーシングコイル１２０の位置で上の方向へＬ字状に曲げ加工して直線で上がるように構成した。
【００１９】
一方、前記吐出配管１５３のルーピングは、吐出部から始めて逆Ｕ字状に曲げ加工した後再び底面に沿ってＵ字状に曲げ加工して、前記リバーシングコイル１２０の位置でＬ字状に曲げ加工して直線で上がるように構成した。
【００２０】
また、前記圧縮機１５０に流入する気体冷媒を輸送する気体冷媒管１５１は、一端はルーピング処理なく前記リバーシングコイル１２０に直接連結し、他側端は外部配管との連結を便利にするためにサービスバルブ１１０に連結する。
【００２１】
図３は従来のルーピング処理による配管構造を概略的に示した図面である。
【００２２】
図面で見るように、圧縮機１５０の配管１５３のルーピングは、逆Ｕ字状に曲げ加工した後上下に数回ルーピング処理後水平方向にルーピング処理する形態である。
【００２３】
しかし、前記のような従来の配管構造においては、全体配管において上下方向（Ｚ方向）の配管強度が脆弱で、これによりエアコン配管において前記圧縮機で発生した振動を効率的に低減させられなくなって結局エアコン全体の振動を誘発させることによって、過多な騷音が発生してユーザーに不快感を与えるだけでなく長期間の振動が累積されることによって疲労による部品のき損をもたらす等の深刻な問題点を引き起こすようになる。
【発明の開示】
【発明が解決しようとする課題】
【００２４】
本発明はエアコン等のような空気調和機のルーピング形態の配管において、配管の形状を変化させるが同一平面上にルーピング部が形成されることを回避することによって、全体配管における上下方向（Ｚ方向）の配管強度を増強させてエアコン配管における過多な振動を画期的に低減させることができるようにすることにその目的がある。
【課題を解決するための手段】
【００２５】
本発明のエアコン配管装置は、同一な平面上に構成された第１方向配管部の一端を一定の角度に傾斜するように方向を変更して第３平面上に移動させた振動低減部を形成して、前記第１方向配管部と他の平面上に構成された第２方向配管部と連結する。
【００２６】
本発明のエアコン配管装置は、上下方向に巻かれた垂直配管部と、前記垂直配管部の一端の方向を傾斜するように変更して水平方向の配管と連結する。
【００２７】
本発明の例で、垂直配管部は、上／下方向に１回以上巻かれる形態を取り、前記垂直配管部の任意の地点で傾斜するように連結する振動低減配管部を結合させて、前記振動低減配管部の他端と水平に結合してルーピング部が構成されるようにする。
【００２８】
また、本発明の一例で、前記振動低減部の傾斜角は２０度〜６０度の範囲である。
【００２９】
また、本発明の一例で、前記振動低減配管部の傾斜角の角度により垂直方向の振動力が力のベクター分解によって分けられる。
【００３０】
また、本発明の一例で、前記振動低減部の最高点と最低点間の高さ差は５０ｍｍ以上になるようにする。
【発明の効果】
【００３１】
したがって本発明によれば、全体配管における上下方向の配管強度を増強させることによってエアコン配管において振動を画期的に低減させて結局エアコン全体の振動を抑制させるようになって、これで過多な騷音の発生を防止してユーザーに不快感を与えないようにするだけでなく長期間の振動の累積による疲労による部品のき損を事前に防止することができる効果がある。
【発明を実施するための最良の形態】
【００３２】
以下、本発明によるエアコン配管装置の望ましい実施例に対して添付した図面に基づいて説明すると次の通りである。
【００３３】
まず本発明を概括的に説明する。
【００３４】
本発明は、他の平面上にルーピング部を形成して全体配管において、特に上下方向（Ｚ方向）の振動を弱くして配管強度を増強させることによって、エアコン配管における振動を画期的に低減させてその結果としてエアコン全体の振動を抑制させ、これによって過多な騷音の発生を防止してユーザーに不快感を与えないようにするだけでなく長期間の振動の累積による疲労による部品のき損を事前に防止することができるようにする配管構造に関する。
【００３５】
図４のＡは、本発明による圧縮機周辺の配管構造を概略的に示す図面であって、図４のＢは図４のＡの平面図である。
【００３６】
図４のＡ及び図４のＢを参照すれば、本発明によるエアコン配管構造は、上下方向に巻かれた垂直配管部と前記垂直配管部の一端に水平方向に連結する配管であるルーピング部で構成されることを特徴とするが、特に前記垂直配管部とルーピング部間にはこれらと結合するが傾斜するように結合する振動低減部をさらに備えるようになっている。
【００３７】
これを詳細に説明すれば、アキュムレーター１３０から出てくる配管は、上／下方向に大体円形で何度もぐるぐる巻かれる形態を取ってこれにより垂直配管部２１０を形成して、前記垂直配管部２１０の任意の地点ではこれと結合するが傾斜するように結合する振動低減配管部２２０を結合させて、前記振動低減配管部２２０の他端ではこれと結合するが水平に結合するルーピング部２３０で構成されるように全体的な配管が形成されるようになる。
【００３８】
前記のような本発明によるエアコン配管構造を有する空気調和機において、室外機は外部空気との熱交換のために室内機から流入した低温低圧の気体冷媒を高温高圧の気体冷媒に変換させるために圧縮機１５０を作動させるようになって、この時前記の圧縮機１５０の作動によって発生する振動は効率的に分散されて処理されるようになるが、このように振動が効率的に分散、処理される過程によって結果的に全体配管における上下方向の配管強度を増強させるようになってエアコン配管において振動が画期的に低減されるようになるものである。
【００３９】
これをさらに詳細に説明すれば、前記のような構造を有する本発明によるエアコン配管構造では、圧縮機１５０の作動によって発生した振動においてその力の成分は各々第１方向であるＺ方向（上下）の成分と第２方向であるＸ方向（左右）の成分を含むようになるが、この時前記力のうちからＺ方向の成分の力が前記配管構造に作用することにおいて、前記Ｚ方向の振動成分は前記振動低減配管部２２０によって分散作用するようになるが、これは前記Ｚ方向の振動成分は、前記垂直配管部２１０と前記ルーピング部２３０間でこれらと結合するが傾斜するように結合する前記振動低減配管部２２０によってその成分が分けられるようになって前記振動低減配管部２２０に平行の力と振動低減配管部２２０に垂直の力に分けられるようになるためである。
【００４０】
すなわち、ここで前記振動低減配管部２２０によってその成分が分離された最初のＺ方向の振動成分は、Ｚ方向に作用しようとするその成分の絶対値に該当する大きさが減るようになって、最終的に圧縮機で発生するＺ方向の振動が低減されるようになるものである。
【００４１】
したがって前記のように振動低減配管部２２０の役割によってＺ方向の振動が低減されることによって、まるでＺ方向の配管の強度が全体的に補強されたことと同じ効果を得られるようになるが、これは前記振動低減配管部２２０によってＺ方向の振動力が力のベクター（ｖｅｃｔｏｒ）分解によって分けられたためであって、同じ原理によって前記振動低減配管部２２０によって最初のＸ方向の振動成分はＸ方向に作用しようとするその成分の絶対値に該当する大きさが減るようになって最終的に圧縮機で発生するＸ方向の振動が低減されるようになる。
【００４２】
実験的に得たデータによれば、前記振動低減配管部２２０の傾斜角は、２０度〜６０度の範囲であることが望ましくて前記振動低減部の最高点と最低点間の高さ差は５０ｍｍ以上であるものが望ましいが、これは前記振動低減部が一定の高さと傾斜角を維持してこそ前記振動による力の分散が効率的に起こるようになって最終的に圧縮機で発生するＺ、Ｘ方向の振動が低減されるようになるためである。
【００４３】
実際に前記傾斜角度の範囲の振動低減部２２０を備えた室外機の場合には、特にＺ方向の振動は改善前にはその値が２０．０ｍ／ｓ2だったが、改善後９．１ｍ／ｓ2として５０％以上改善されることが確認することができ、Ｘ方向の振動は改善前にはその値が３．４ｍ／ｓ2だったが改善後３．０ｍ／ｓ2程度に改善されることがわかる。
【００４４】
したがって前記のような振動低減部２２０を備えた本発明による室外機は、特にＺ方向の振動が大きく低減されることがわかる。
【００４５】
このように本発明によるエアコン配管構造は、２０度〜６０度の範囲の一定の傾斜角を有する配管部を前記垂直配管部とルーピング部間に備えることによって、前記傾斜角を有する配管部が振動低減の役割を遂行することによってエアコン全体配管における振動を画期的に低減させる作用をするようになる。
【００４６】
前記のような本発明によれば、全体配管における上下方向の配管強度を増強させることによってエアコン配管において振動を画期的に低減させて結局エアコン全体の振動を抑制させるようになって、これで過多な騷音の発生を防止してユーザーに不快感を与えないようにするだけでなく長期間の振動の累積による疲労による部品のき損を事前に防止することができる効果がある。
【００４７】
以上で本発明の望ましい実施例を説明したが、本発明は多様な変化と変更及び均等物を用いることができる。本発明は前記実施例を適切に変形して同一に応用することができることが明確である。
【００４８】
すなわち、図５のＡは、本発明による配管構造において傾斜角の角度が２０度である場合の配管長さの差を見せる図面である。
【００４９】
図５のＢは、本発明による配管構造において傾斜角の角度が６０度である場合の配管長さの差を見せる図面である。
【００５０】
図６は、本発明の他の実施例であって、配管の形状を多様に構成したことを示した図面である。
【００５１】
また、本発明の配管構造の変更は、圧縮機の吸入配管、吐出配管または他の装置の吸入配管／吐出配管すべてに適用できる。
【００５２】
したがって、前記記載内容は、特許請求範囲の限界により本発明の範囲が限定されるのではない。
【産業上の利用可能性】
【００５３】
本発明は、一般的な装置に用いられている配管の連結において振動を緩和するために用いることができ、特にエアコンの配管装置に適切に用いられることができる。
【図面の簡単な説明】
【００５４】
【図１】図１は従来の空気調和機を概略的に示す図面である。
【図２】図２は従来技術による圧縮機周辺の配管構造を概略的に示す図面である。
【図３】図３は従来のルーピング処理による配管構造を概略的に示した図面である。
【図４】図４のＡは本発明による圧縮機周辺の配管構造を概略的に示す図面であり、図５のＢは図４Ａの平面図である。
【図５】図５のＡは本発明による配管構造において傾斜角の角度が２０度であり、図５のＢは傾斜角の角度が６０度である場合の配管長さの差を見せる図面である。
【図６】図６は本発明の他の実施例であって、配管の形状を多様に構成したことを示した図面である。
【符号の説明】
【００５５】
１０…室外機
１１…圧縮機
１２…凝縮機
１２ａ…ファン
１３…膨張バルブ
２０…室内機
２１…蒸発機
２１ａ…ファン
３０…連結配管
１１０…サービスバルブ
１２０…リバーシングコイル
１３０…アキュムレーター
１４０…集中質量素子
１５０…圧縮機
１５１…気体冷媒管
１５２…吸入配管
１５３…吐出配管
２１０…垂直配管
２２０…振動低減配管部
２３０…ルーピング部
【図１】
2005121347.tif 000003
【図２】
2005121347.tif 000004
【図３】
2005121347.tif 000005
【図４】
2005121347.tif 000006
【図５】
2005121347.tif 000007
【図６】
2005121347.tif 000008